(57)【要約】【課題】ペットの排泄物が発する悪臭を防止し、美観を良好にするペット用トイレシーツおよび立体敷パッドを提供する。【解決手段】ペット用トイレシーツ１は、不透水性の防水シ−ト３１と、防水シート３１の載置部３１ｂに載置された尿を吸収する吸収材３３と、吸収材３３を覆う脱臭シート３５と、脱臭シート３５を覆う透水性のカバーシート３２とを有し、防水シート３１の外縁部３１ａが当該外縁部３１ａに対面するカバーシート３２に結合されている尿吸収シーツ３と、尿吸収シーツ３のカバーシート３２上に敷かれた立体敷パッド２とを備え、立体敷パッド２は、積み重ねられた透水性の２つの透水シート２１，２２と、２つの透水シート２１，２２の間に設けられた粉末状の重曹２３とを有し、一方の透水シート２１の外縁部２１ａが当該外縁部２１ａに対面する他方の透水シート２２に結合されている。【選択図】図３
2019216661.tif 000002
【特許請求の範囲】
【請求項１】
不透水性の防水シ−トと、
前記防水シートの一方面上であって当該防水シートの外周に沿う外縁部を除いた前記外縁部の内方の載置部に載置された尿を吸収する吸収材と、
前記吸収材を覆う脱臭シートと、
前記脱臭シートを覆う透水性のカバーシートと、
を有し、前記防水シートの前記外縁部が当該外縁部に対面する前記カバーシートに結合されている尿吸収シーツと、
前記尿吸収シーツの前記カバーシート上に敷かれた立体敷パッドと、
を備え、
前記立体敷パッドは、
積み重ねられた透水性の２つの透水シートと、
２つの前記透水シートの間に設けられた粉末状の重曹と、
を有し、一方の前記透水シートの外周に沿う外縁部が当該外縁部に対面する他方の前記透水シートに結合されている
ペット用トイレシーツ。
【請求項２】
前記立体敷パッドの前記透水シートは、太さが５〜１５μｍの繊維が絡み合っている不織布で形成されている
請求項１記載のペット用トイレシーツ。
【請求項３】
前記立体敷パッドの前記不織布は、厚み方向に押圧して離すと元に戻る弾性力を有する構成である
請求項２記載のペット用トイレシーツ。
【請求項４】
前記透水シートは、表面に立体的な凹凸が形成されている
請求項２または３記載のペット用トイレシーツ。
【請求項５】
前記重曹は、粒径が５０〜２００μｍの結晶性粉末であり、２つの前記透水シートの間の全面に設けられている
請求項２から４の何れか１つに記載のペット用トイレシーツ。
【請求項６】
前記尿吸収シーツの前記防水シ−トは、開口可能な口を有する袋状で不透水性の防水袋体の一部で形成されている
請求項１から５の何れか１つに記載のペット用トイレシーツ。
【請求項７】
請求項１から６のいずれか１つに記載のペット用トイレシーツに用いられ、
前記尿吸収シーツの上に載置できる
立体敷パッド。
【発明の詳細な説明】
【技術分野】
【０００１】
この発明は、例えば、尿に起因した悪臭を防止するようなペット用トイレシーツおよび立体敷パッドに関するものである。
【背景技術】
【０００２】
近年、犬などのペットを室内で飼う家庭が増加している。そうした家庭では、ペットの排泄物、特に尿が発する悪臭および美観の問題が顕在化している。
【０００３】
これに対して、ペットの排泄物に起因する悪臭に対し、優れた消臭効果が長期に亘って持続するペット排泄物用消臭剤及びペット用シーツが提供されている（特許文献１参照）。このペット用シーツは、吸収体４を被覆する被覆シートに消臭剤が付与されている。
【０００４】
しかしながら、悪臭と美観の課題はまだ残っていた。
【先行技術文献】
【特許文献】
【０００５】
【特許文献１】特開２００８−１４２０１４号公報
【発明の概要】
【発明が解決しようとする課題】
【０００６】
この発明は、上述した問題点に鑑み、ペットの排泄物が発する悪臭を防止し、美観を良好にするペット用トイレシーツおよび立体敷パッドを提供することを目的とする。
【課題を解決するための手段】
【０００７】
この発明は、不透水性の防水シ−トと、前記防水シートの一方面上であって当該防水シートの外周に沿う外縁部を除いた前記外縁部の内方の載置部に載置された尿を吸収する吸収材と、前記吸収材を覆う脱臭シートと、前記脱臭シートを覆う透水性のカバーシートと、を有し、前記防水シートの前記外縁部が当該外縁部に対面する前記カバーシートに結合されている尿吸収シーツと、前記尿吸収シーツの前記カバーシート上に敷かれた立体敷パッドと、を備え、前記立体敷パッドは、積み重ねられた透水性の２つの透水シートと、２つの前記透水シートの間に設けられた粉末状の重曹と、を有し、一方の前記透水シートの外周に沿う外縁部が当該外縁部に対面する他方の前記透水シートに結合されているペット用トイレシーツであることを特徴とする。
【発明の効果】
【０００８】
この発明により、ペットの排泄物が発する悪臭を防止し、美観を良好にするペット用トイレシーツおよび立体敷パッドを提供することができる。
【図面の簡単な説明】
【０００９】
【図１】ペット用トイレシーツの斜視図。
【図２】立体敷パッドを上げた状態のペット用トイレシーツの斜視図。
【図３】ペット用トイレシーツの一部断面斜視図。
【図４】実施例２の尿吸収シーツの説明図。
【図５】実施例２の尿吸収シーツを廃棄する際の取り扱い方法の説明図。
【図６】実施例２の尿吸収シーツを廃棄する際の取り扱い方法の説明図。
【図７】実施例３の尿吸収シーツを上下反転させて示した斜視図。
【図８】実施例４の尿吸収シーツを上下反転させて示した斜視図。
【発明を実施するための形態】
【００１０】
以下、この発明の一実施形態を図面と共に説明する。
【実施例１】
【００１１】
図１は、ペット用トイレシーツ１の斜視図である。
図２は、立体敷パッド２を上げた状態のペット用トイレシーツ１の斜視図である。
図３は、図１に示したペット用トイレシーツ１のＡ−Ａ断面斜視図である。
【００１２】
＜ペット用トイレシーツ＞
ペット用トイレシーツ１は、矩形状の尿吸収シーツ３と、尿吸収シーツ３とほぼ同形状の矩形状の立体敷パッド２が下からこの順で重ねられて構成されている。尿吸収シーツ３は、床面等に載置され、立体敷パッド２は、尿吸収シーツ３上に重ねるようにして敷かれ、尿吸収シーツ３からの上げ下げ及び交換が自在になっている。
【００１３】
＜尿吸収シーツ＞
尿吸収シーツ３は、床面等に接して載置される矩形状の不透水性の防水シ−ト３１と、防水シ−ト３１とほぼ同形状で尿吸収シーツ３の上方側を覆う透水性のカバーシート３２を有し、防水シ−ト３１とカバーシート３２との間に、少なくとも上面が脱臭シート３５で覆われた吸収材３３が挿入されている。防水シ−ト３１とカバーシート３２は、それぞれの外縁部３１ａ、３２ａ同士が周方向に隙間なく接着されている。
【００１４】
防水シ−ト３１は、防水シート３１の外周に沿う外縁部３１ａと、外縁部３１ａの内方で、防水シート３１の上面（床面と接する面と反対の面）に吸収材３３を載置する載置部３１ｂを有している。外縁部３１ａは、外周からの距離がほぼ一定の幅で形成されている。防水シ−ト３１は、例えば、ポリエチレンフィルムやポリ塩化ビニリデンフィルムで形成されている。防水シ−ト３１は、床面等への尿の拡散を防止する。
【００１５】
吸収材３３は、厚紙を綿状に粉砕した綿状パルプ３３ａと高分子吸収材３３ｂとが混合され、混合された綿状パルプ３３ａと高分子吸収材３３ｂが外にはみ出さないように吸収紙３３ｃで包まれている。吸収材３３は、防水シート３１の載置部３１ｂ上に、上下方向の厚さがほぼ一定になるように成形されて載置されている。吸収材３３は、綿状パルプ３３ａが尿を素早く捉えて、離接する高分子吸収材３３ｂに渡し、高分子吸収材３３ｂが尿を吸収し閉じ込める。
【００１６】
防水シート３１の載置部３１ｂ上に載置された吸収材３３の上面（防水シート３１と接していない面）は、脱臭シート３５で覆われている。尚、脱臭シート３５は、吸収材３３と防水シート３１との間に挿入して、吸収材３３の下面（防水シート３１と接している面）も覆うようにしてもよい。脱臭シート３５は、活性炭や備長炭などの炭を含有しており、例えば、繊維状活性炭をペーパー状に加工した活性炭ペーパーシートを使用してもよい。脱臭シート３５は、尿が発する悪臭の原因成分の一つであるアンモニアガス等を主に吸着することで消臭する。
【００１７】
カバーシート３２は、透水性で、防水シ−ト３１とほぼ同形状の矩形状である。カバーシート３２は、脱臭シート３５で上面が覆われた吸収材３３を上方からさらに覆っている。カバーシート３２は、例えば、ポリオレフィン素材の不織布またはポリプロピレン素材の不織布で形成されている。カバーシート３２は、尿を速やかに吸収材３３に通し逆戻りさせにくくなっている。
【００１８】
カバーシート３２は、その外縁部３２ａが防水シ−ト３１の外縁部３１ａに接着剤３４で接着されている。接着剤３４には、例えば、ホットメルト接着剤が使用されている。
【００１９】
＜立体敷パッド＞
立体敷パッド２は、同じ大きさで上下に積み重ねられた２つの矩形状の透水性の透水シート（上方の透水シート２２，下方の透水シート２１）と、２つの透水シート２１，２２の間に散布された粉末状の重曹２３とを有し、２つの透水シート２１，２２がそれぞれの外縁部２１ａ、２２ａ同士で接着されている。
【００２０】
２つの透水シート２１，２２は、同形状で、それぞれ透水シート２１，２２の外周に沿う外縁部２１ａ、２２ａと、外縁部２１ａ、２２ａの内方で、２つの透水シート２１，２２の間に散布された重曹２３を担持する担持部２１ｂ、２２ｂを有している。担持部２１ｂ、２２ｂは、例えば、細かな繊維が複雑に絡み合ったフィルターで構成され、液体の他、気体も透過するが、一定以上の粒径の固体は透過させないようにして粉末状の重曹２３を担持部２１ｂ、２２ｂの間に担持する。
【００２１】
透水シート２１，２２は、例えば、ポリエステル素材とポリプロピレン素材とを使用してスパンレース法で作製された不織布で形成されている。当該不織布は、太さが５〜１５μｍで湾曲の大きさと距離と方向がランダムに波打つ形状の繊維が緩く絡み合っている。透水シート２１，２２は、自然状態で尿吸収シーツ３に使用したカバーシート３２より厚みがあり、担持部２１ｂ、２２ｂの表面に碁盤目状の立体的な凹凸が形成されている。透水シート２１，２２の通常時のそれぞれの厚さは、０．３〜１．５ｍｍが好ましく、０．７〜１．１ｍｍがより好ましい。尚、透水シート２１，２２は、それぞれ人の手指で挟んで押圧すると、通常時の厚さの１／３になり、クッション性がある。また、どれだけ強く押圧しても、絡み合っている繊維の間に隙間（空気層）が存在する構成になっている。担持部２１ｂ、２２ｂの表面の凹凸の段差は、０．３〜１．３ｍｍが好ましく、０．５〜１．０ｍｍがより好ましい。また、担持部２１ｂ、２２ｂの表面の凹凸による碁盤の目の間隔は、１〜８ｍｍが好ましく、３〜６ｍｍがより好ましい。尚、当該碁盤の縦方向と横方向の目の間隔は等しくなくてもよい。
【００２２】
２つの透水シート２１，２２は、それぞれの外縁部２１ａ、２２ａ同士が接着剤２４で接着されている。接着剤２４には、例えば、ホットメルト接着剤または両面テープが使用できる。なお、透水シート２１，２２を結合すればよいため、縫い合わせてもよい。
【００２３】
重曹２３は、結晶性粉末が使用される。重曹２３の結晶性粉末の粒径分布は、５０〜２００μｍが好ましく、１００〜１５０μｍがより好ましい。これにより、透水シート２１，２２の界面に散布された重曹２３の結晶性粉末は、当該界面を形成する透水シート２１，２２の繊維の目に絡まり、当該界面に留まり易くなっている。このため、尿の勢いにより尿と共に重曹２３が流されてしまう恐れが少ない。
【００２４】
重曹の密度は２．２ｇ／ｃｍ３である。よって、粒径分布が５０〜２００μｍの重曹２３の結晶性粉末を２つの透水シート２１、２２の界面に散布する場合の散布重量は、１００ｃｍ２当たり少なくとも１．１〜４．４ｇにするのが好ましい。これにより、重曹２３の結晶性粉末を当該界面に隙間なくほぼ一様に介在させることができるようになる。さらに、重曹２３の結晶性粉末の散布重量を１００ｃｍ２当たり１．１〜４．４ｇより多くすることで、重曹２３の結晶性粉末を当該界面の上下方向に複数個介在させることができるようになる。これにより、上方の透水シート２２を通過して当該界面にまで到達した尿に対して、重曹２３の結晶性粉末を確実に接触させることができるようになる。
【００２５】
透水シート２１，２２は、絡み合う繊維でかつ凹凸を有するため、粉末状の重曹２３を透水シート２２の表面に色を塗るようにザーッと塗布することができる。この塗布された重曹２３の粉末は、透水シート２２に担持される。このようにしても、全面にまんべんなく重曹２３を配置できる。
【００２６】
また、透水シート２１，２２を、担持部２１ｂ、２２ｂの表面の凹部または凸部に沿って碁盤の目状に、上下に糸で縫い合わせるようにしてもよい。これにより、上下に配置された担持部２１ｂ、２２ｂの間に担持された粉末状の重曹２３は、糸で縫い合わされた碁盤の目状の縫い目を超えて前後左右に移動することも困難となる。このため、立体敷パッド２を多少手荒く扱うことがあっても、重曹２３は、透水シート２１，２２の界面にまんべんなく配置し続けることができる。なお、この縫い合わせは、表面の凹部または凸部に沿っておらずともよく、縫い目を全体的に見て格子状やハニカム状等に形成し、透水シート２１，２２の間が複数の空間に仕切られるようにすればよい。また、縫い合わせの糸は、糸状のものであればよく、接着等の縫い合わせ以外の方法によって仕切りを設けてもよい。
【００２７】
以上の構成により、立体敷パッド２は、透水性の上方の透水シート２２が尿を通過させ、この尿を２つの透水シート２１，２２の界面にまで速やかに通すことができる。そして、２つの透水シート２１，２２の界面にまで到達した尿は、当該界面にムラなく散布された粉末状の重曹２３に接して化学反応を起こす。すなわち、尿に含まれる悪臭の原因成分の中の水素（Ｈ）イオンを有する酸性物質が、重炭酸（ＨＣＯ３）イオンを有する重曹２３と化学反応（中和反応）を起こし、水と二酸化炭素とナトリウム塩となる。尚、尿に含まれる悪臭の原因成分の中の酸性物質には、例えば、硫黄系の臭いを発する硫化水素（Ｈ２Ｓ）ガス等が含まれる。上述の化学反応により生成された水とナトリウム塩は、残りの尿の成分と共に、下方の透水シート２１を速やかに通過し、尿吸収シーツ３のカバーシート３２と脱臭シート３５を通過して吸収材３３に吸収される。一方、上述の化学反応により生成された二酸化炭素は、上方の透水シート２２を通して空気中に放出されるが、悪臭を放つものではない。これにより、尿に含まれる悪臭の原因成分の中の酸性物質を、ナトリウム塩および無臭の水と二酸化炭素とに変化せることができる。また、カバーシート３２と脱臭シート３５を通過して吸収材３３に吸収された化学反応後の水とナトリウム塩と残りの尿は、厚みのある吸収材３３により保持され、押圧しても吸収材３３より十分に薄いカバーシート３２の表面には指で触れば指先が湿る程度で液が溜まるほど染み出すことが無い。
【００２８】
立体敷パッド２は、透水シート２１，２２を形成する不織布が、上述のように、太さが５〜１５μｍの繊維が緩く絡み合っている。そのため、初期の粒径が５０μｍ以上の結晶性粉末の重曹２３は、尿との化学反応により粒径が小さくなっても、依然として２つの透水シート２１，２２の界面に担持される。これにより、立体敷パッド２は、尿との化学反応により重曹２３がほぼ消失するまで繰り返し使用することができる。従って、尿吸収シーツ３のみを交換して立体敷パッド２をそのまま継続利用できる。そして、重曹２３が消失する直前に、立体敷パッド２のみを交換すればよく、ペット用トイレシーツ１を丸ごと交換する必要がない。
【００２９】
尚、粒径分布が５０〜２００μｍの重曹２３の結晶性粉末を２つの透水シート２１、２２の界面に散布する場合の散布重量は、例えば、透水シート２１，２２が４０ｃｍ×２７ｃｍのサイズの場合、４０ｇ以上とすることができ、５０ｇ以上とすることが好ましく、６５ｇ以上とすることがより好ましい。透水シート２１，２２の１００ｃｍ２当たりに換算すると、３．７ｇ以上とすることができ、４．６ｇ以上とすることが好ましく、６．０ｇ以上とすることがより好ましい。これにより、ペットの犬による通常の使用において、立体敷パッド２の交換は少なくとも２４時間不要となり、手間が掛からず飼い主にとって便宜である。
【００３０】
立体敷パッド２は、透水シート２１，２２に、立体的な凹凸を有し適度の厚みのある不織布が使用されている。そのため、尿を吸収した尿吸収シーツ３が消臭し切れずに発する悪臭の拡散を抑制することができる。
【００３１】
また、立体敷パッド２は、常に空気層が存在する絡み合った繊維により構成された透水シート２１，２２を有し、かつ２枚の透水シート２１，２２が重ねられた構成であるため、表面（使用時の上面）が尿吸収シーツ３から離間し、かつ、間に空気を存在させることができる。これにより、尿吸収シーツ３に吸収されている尿が表面にしみ出すことや接触することがなく、表面に尿によるシミができにくく見た目が衛生的である。
【００３２】
さらに、上方の透水シート２２は、触感がさらりとしているため、ペットの犬は、当該上方の透水シート２２上での排尿を好み習慣化しやすい。
【００３３】
一方、透水シート２１，２２は、クッション性もあるため、ペットの犬が上方の透水シート２２上で寝ることがある。この場合も、絡み合った繊維により構成された透水シート２１，２２は、犬に押圧されている部分にもなお隙間（空気層）が存在するため、尿吸収シーツ３に吸収されている尿が表面にしみ出すことや接触することがなく、かつ、尿吸収シーツ３から漏れ出る尿の臭気が立体敷パッド２の重曹２３で消臭され、尿吸収シーツ３から尿の臭いが犬に移ることを防止できる。
【００３４】
従って、従来であれば風呂できれいにシャンプーした犬がトイレシーツの上で一度寝ただけで臭くて抱きたくなくなっていたが、ペット用トイレシーツ１により尿をした後のペット用トイレシーツ１の上で犬が何度寝ても臭くならず、風呂に入れてから何日たっても臭くなくストレスなく抱いてやることができる。
【００３５】
尚、この発明は本実施形態に限られず他の様々な実施形態とすることができる。例えば、ペット用トイレシーツ１は、災害時の非常用の人のためのトイレとしても使用することができる。
【００３６】
また、透水シート２１，２２は、ほこりを絡めとる清掃用の不織布とすることができ、例えば花王株式会社のクイックルワイパー（登録商標）立体吸着ドライシートを利用することができる。この場合も、同一の作用効果を奏することができる。
【００３７】
なお、ペット用トイレシーツ１は、アロマオイル等の香料を重曹２３に混ぜて塗布する、あるいは透水シート２１，２２の外面又は内面に香料を塗布または散布するなど、適宜の方法で香料を付与してもよい。これにより、ペット用トイレシーツ１の上でペットが寝ても、排泄物の匂いが移らないことに加えて、香料の香りがペットに移り、ペットが良い香りでいるようにすることができる。
【００３８】
また、透水シート２１，２２の表面には、適宜のデザインの印刷をしてもよい。これにより、見た目の良いペット用トイレシーツ１を提供できる。特に、ペットが尿をした後も表面に尿のシミが現れないことにより、印刷の美しい見た目を維持することができる。
【００３９】
また、尿吸収シーツ３と尿吸収シーツ３からなるペット用トイレシーツ１は、矩形状に限らず、円形や楕円形等、適宜の形状とすることができる。  
また、下方の透水シート２１の４角の尿吸収シーツ３に対向する面に両面テープの一方面を貼付して設けておいてもよい。これにより、立体敷パッド２は、尿吸収シーツ３上に敷いた際に、上述の両面テープの他方面が尿吸収シーツ３に貼り付くため、ズレにくくなる。なお、上述の両面テープの他方面の粘着力は、一方面の粘着力より小さい方が好ましい。これにより、使用後の立体敷パッド２を尿吸収シーツ３から剥がし取る際に、上述の両面テープは、立体敷パッド２の下方の透水シート２１に貼り付いたまま剥がされ、尿吸収シーツ３側に残されることがないため、新たな立体敷パッド２を敷く際に便宜である。
【００４０】
また、接着剤２４で接着されている２つの透水シート２１，２２の外縁部２１ａ、２２ａに沿って縁取りを付けるようにしてもよい。縁取りは、手指で摘まむことのできる幅を有している。縁取りは、水をはじく撥水性の素材で形成するのが好ましく、例えば、撥水紙やフッ素樹脂を用いることができる。また、透水シート２１，２２の外縁部２１ａ、２２ａの不織布に直接シリコン樹脂加工をして撥水機能を持たせるようにしてもよい。これにより、外縁部２１ａ、２２ａのから尿や尿を伴った重曹２３が横漏れするのを防止することができる。また、縁取りは、尿をはじいて付着しにくくなっているため、手指で摘まんでも衛生的である。
【００４１】
また、縁取りには、適当なデザインを加えるのが好ましい。これにより、手指で衛生的に摘まめる領域を明確にすることができる。また、不衛生な印象を払拭して、飼い主に与える不快感を和らげるのにも役立つ。
【実施例２】
【００４２】
図４（Ａ）は、他の実施例の尿吸収シーツ１０３を上下反転させて示した斜視図である。図４（Ｂ）は、上下反転させた尿吸収シーツ１０３のＡ１−Ａ１縦断面図である。
【００４３】
尿吸収シーツ１０３は、実施例１の尿吸収シーツ３を構成する防水シート３１に替えて、防水袋体１３１を有している。なお、防水袋体１３１以外の構成は、実施例１の尿吸収シーツ３と同じであるため、詳細な説明は省略する。
【００４４】
防水袋体１３１は、例えば、ポリエチレンやポリ塩化ビニリデン等の不透水性のフィルム状の素材で形成され、吸収材１３３を載置する矩形状の載置部１３１ｂと、載置部１３１ｂの外周にほぼ一定の幅で形成された額縁状の外縁部１３１ａと、載置部１３１ｂの吸収材１３３が載置されている側の反対側に外縁部１３１ａおよび載置部１３１ｂに重ねるようにして設けられた矩形状の包み部１３１ｃを有している。
【００４５】
外縁部１３１ａは、脱臭シート１３５で覆われた吸収材１３３を脱臭シート１３５の側から被覆するカバーシート１３２の外縁部１３２ａと接着剤１３４で接着されている。
【００４６】
包み部１３１ｃは、外周が外縁部１３１ａに接続されている。すなわち、図４（Ａ）において、包み部１３１ｃの前後の外周は、外縁部１３１ａに接着（融着を含む。）によって接続され、包み部１３１ｃの左右の外周は、外縁部１３１ａをそのまま延展することで、外縁部１３１ａに接続されている。
【００４７】
包み部１３１ｃには、中央付近に開口可能な口部１３１ｄが設けられている。口部１３１ｄは、直線状である。図４（Ｂ）において、口部１３１ｄは、包み部１３１ｃの一部が上下に重なり合う重なり領域１３１ｅ、１３１ｆによって形成されている。重なり領域１３１ｅ、１３１ｆは、それぞれ手指で摘まんで上下に広げることにより、容易に口部１３１ｄを開けることができる。一方、重なり領域１３１ｅ、１３１ｆは、尿吸収シーツ１０３を床面等に載置した際に口部１３１ｄを閉口させる機能を有している。このため、万一、吸収材１３３を載置する載置部１３１ｂに穴が開き、吸収材１３３から液が漏れてくることがあっても、口部１３１ｄが閉口している包み部１３１ｃにより、床面等への漏液を相当防止することができる。
【００４８】
なお、口部１３１ｄは、上下に重なり合う重なり領域１３１ｅ、１３１ｆを必須とするものではない。口部１３１ｄは、例えば、包み部１３１ｃの中央付近に形成した直線状あるいは曲線状等の切込みであってもよく、また、包み部１３１ｃの中央付近に形成した矩形状や楕円形状等の切欠きであってもよい。また、直線状あるいは曲線状等の切込みは、ミシン目状に形成されてもよく、当該切込みを挟んで左右の包み部１３１ｃをそれぞれ手指で摘まんで、左右に引っ張ることにより、容易に口部１３１ｄを開けることができればよい。
【００４９】
すなわち、防水袋体１３１は、容易に開口することのできる口部１３１ｄを有し、載置部１３１ｂと外縁部１３１ａと包み部１３１ｃとで小さくまとめて構成された袋を形成していればよい。
【００５０】
図５（Ａ）〜（Ｄ）および図６（Ｅ）〜（Ｈ）は、尿を十分に吸収した尿吸収シーツ１０３を廃棄する際の取り扱い方法を順次示した説明図である。
図５（Ａ）は、床面上に上下反転させて（裏返して）載置した尿吸収シーツ１０３を示している。尿吸収シーツ１０３は、防水袋体１３１の包み部１３１ｃの中央部にある直線状の口部１３１ｄが前後方向に向くように載置されている。
【００５１】
（ステップ１）
尿吸収シーツ１０３を再度裏返して、通常の使用時の状態に戻し、カバーシート１３２や吸収材１３３等を防水袋体１３１の内側に包み込むように、尿吸収シーツ１０３の下三分の一を上に（口部１３１ｄに平行な方向（前後方向）に）折り上げる（図５（Ｂ）参照）。
【００５２】
（ステップ２）
次に、尿吸収シーツ１０３のもう三分の一を折り下げ、三つ折りにする（図５（Ｃ）参照）。
【００５３】
（ステップ３）
防水袋体１３１の口部１３１ｄに右手を突き入れ、突き入れた右手で口部１３１ｄを挟んだ包み部１３１ｃの一方の表裏を反転させるようにする（図５（Ｄ）参照）。
【００５４】
（ステップ４）
同様にして、防水袋体１３１の口部１３１ｄに左手を突き入れ、突き入れた左手で口部１３１ｄを挟んだ包み部１３１ｃの他方の表裏を反転させるようにする（図６（Ｅ）参照）。
【００５５】
（ステップ５）
口部１３１ｄを挟んだ包み部１３１ｃの表裏を反転させようとすると、自然と包み部１３１ｃを載置部１３１ｂから剥がすことにもなる。これにより、載置部１３１ｂが表面側に現れてくるようになると同時に、口部１３１ｄに垂直な方向（左右方向）から内側に向けてカバーシート１３２や吸収材１３３等がさらに折り込まれる（図６（Ｆ）参照）。
【００５６】
（ステップ６）
包み部１３１ｃの表裏をすべて反転させ、載置部１３１ｂに載置された吸収材１３３やカバーシート１３２等を載置部１３１ｂと反転させた包み部１３１ｃによりコンパクトに包み込む（図６（Ｇ）参照）。  
図６（Ｈ）は、防水袋体１３１を用いてコンパクトに包み込まれた尿吸収シーツ１０３を示している。
【００５７】
以上の構成により、防水袋体１３１を備えた尿吸収シーツ１０３に関して、上述の取り扱い方法を用いれば、尿が付着したカバーシート１３２等に手指が接触する恐れが少なく、衛生的である。また、尿を十分に吸収した尿吸収シーツ１０３をコンパクトにまとめることができるため、廃棄する際の取り扱いに便宜である。
【００５８】
なお、防水袋体１３１は、尿の臭いを通しにくいポリ塩化ビニリデンの素材で形成するのが好ましい。防水袋体１３１は、尿を吸収した尿吸収シーツ１０３をコンパクトに包み込むことで、尿吸収シーツ１０３からの悪臭の漏洩を防止することができる。
【実施例３】
【００５９】
図７は、他の実施例の尿吸収シーツ３０３を上下反転させて示した斜視図である。
【００６０】
尿吸収シーツ３０３は、実施例２における防水袋体１３１に替えて、他の例の防水袋体３３１を有している。なお、防水袋体３３１以外の構成は、実施例１の尿吸収シーツ３あるいは実施例２の尿吸収シーツ１０３と同じであるため、詳細な説明は省略する。以下、防水袋体３３１の説明においては、防水袋体１３１を構成する部位と同じ機能を有する部位については同じ名称を使用するものとし、防水袋体１３１と相違する構成を主として説明する。
【００６１】
防水袋体３３１は、矩形状の包み部３３１ｃを有している。
包み部３３１ｃには、中央付近に開口可能な直線状の口部３３１ｄが設けられている。口部３３１ｄの周辺の包み部３３１ｃには、口部３３１ｄの周りを口部３３１ｄに沿って一周する紐３３７を通す案内部３３１ｅ、３３１ｆが設けられている。
【００６２】
案内部３３１ｅ、３３１ｆは、この例では、口部３３１ｄを挟んだ両側の包み部３３１ｃの端部がそれぞれ反対方向に一様に折り返されて元の包み部３３１ｃに接続された２つの筒状体で構成されている。
【００６３】
案内部３３１ｅ、３３１ｆの筒状体には、口部３３１ｄの周りを口部３３１ｄに沿って一周する紐３３７が通されている。紐３３７は、リング状で、案内部３３１ｅ、３３１ｆの筒状体内を滑るようにして移動することができる。
【００６４】
また、案内部３３１ｅ、３３１ｆは、例えば、口部３３１ｄを挟んだ両側の包み部３３１に、口部３３１ｄに沿って略等間隔で設けられた紐３３７の通る孔の列であってもよい。そして、案内部３３１ｅ、３３１ｆの孔の列に、リング状の紐３３７を上下にジグザグに通すようにしてもよい。
【００６５】
使用後の尿吸収シーツ３０３を廃棄する際の取り扱いは、以下に示すような手順で実施する。
【００６６】
（ステップ１）
カバーシート３３２や吸収材（図示せず）等を防水袋体３３１で内側に挟むように、使用後の尿吸収シーツ３０３を口部３３１ｄに垂直な方向に半折にする。
【００６７】
（ステップ２）
次に、半折により表面に現れた防水袋体３３１の包み部３３１ｃの折れ目の近傍で、口部３３１ｄを挟んだ両側の包み部３３１ｃを、それぞれ左右の手指で摘まんで、口部３３１ｄの口を左右両方向に引っ張り広げる。
【００６８】
（ステップ３）
口部３３１ｄを広げ切ったら、包み部３３１ｃを裏返しつつ、半折になった尿吸収シーツ３０３を裏返した包み部３３１ｃ内に包み込む。
【００６９】
（ステップ４）
２つの案内部３３１ｅ、３３１ｆの間の２つの隙間から露出している紐３３７を引っ張り出すと共に、口部３３１ｄの口を紐３３７で絞るようにして閉じる。なお、案内部３３１ｅ、３３１ｆから引っ張り出された紐３３７の部分は、包み部３３１ｃ内に包み込んだ尿吸収シーツ３０３を持ち運ぶ際の手提げ紐として機能する。
【００７０】
以上の構成により、尿を十分に吸収した尿吸収シーツ３０３を廃棄する際の取り扱いを簡便に実施でき、また、尿が付着したカバーシート１３２等に手指が接触する恐れが少なく衛生的である。手提げ紐を介して使用後の尿吸収シーツ３０３を持ち運ぶことができるので、衛生面における安心感も増す。
【実施例４】
【００７１】
図８は、他の実施例の尿吸収シーツ２０３を上下反転させて示した斜視図である。
【００７２】
尿吸収シーツ２０３は、実施例２における防水袋体１３１に替えて、他の例の防水袋体２３１を有している。なお、防水袋体２３１以外の構成は、実施例１の尿吸収シーツ３あるいは実施例２の尿吸収シーツ１０３と同じであるため、詳細な説明は省略する。
【００７３】
防水袋体２３１は、例えば、ポリエチレンやポリ塩化ビニリデン等の不透水性のフィルム状の素材で形成されている。防水袋体２３１は、正面部と背面部の２面が矩形状で、底部が閉じられ、頭部に容易に開口することのできる口部２３１ｄを有し、左右にマチが付いているガセット袋状である。
【００７４】
防水袋体２３１の正面部あるいは背面部（この例では正面部）は、実施例２における防水袋体１３１の載置部１３１ｂおよび外縁部１３１ａに替えて使用されている。すなわち、防水袋体２３１の正面部は、脱臭シート（図示せず）で覆われた吸収材（図示せず）を載置し、脱臭シートの側から被覆するカバーシート２３２と外縁部で接着剤１３４により接着されている。このため、防水袋体２３１の正面部に穴が開くことがあっても、少なくとも防水袋体２３１の背面部が、床面等への漏液を相当防止することができる。
【００７５】
また、使用後の尿吸収シーツ２０３を廃棄する際の取り扱いは、以下のように行うことができる。すなわち、防水袋体２３１の背面部側の口部２３１ｄを一方の手指で摘まみ、口部２３１ｄ内に他方の手指を差し入れて防水袋体２３１の正面部の裏面側を掴んで、防水袋体２３１の表裏を反転させて、尿を吸収している尿吸収シーツ２０３を小さく丸めて防水袋体２３１内に包み入れることができる。この際、尿が付着したカバーシート２３２等に手指が接触する恐れが少なく、尿吸収シーツ２０３を衛生的にまとめることができる。
【００７６】
なお、防水袋体２３１は、必ずしもガセット袋状に限定されるものではなく、マチが付いている角底袋状で折りたたまれたものであってもよく、また、マチが付いていない平袋状であってもよい。ただし、マチが付いている方が、上述の使用後の尿吸収シーツ２０３を廃棄する際の取り扱いにおいて、口部２３１ｄ内に手指を差し入れての作業がやり易い。
【００７７】
また、両面テープ２３６を、口部２３１ｄ近傍の防水袋体２３１の背面部の表面側に、口部２３１ｄに沿って、両面テープ２３６の一方面を貼り付けるようにして設けてもよい。これにより、尿を吸収した尿吸収シーツ２０３を小さく丸めて防水袋体２３１内に包み入れた後に、口部２３１ｄ近傍の防水袋体２３１の正面部の裏面側に両面テープ２３６の他方面を貼り付けて、防水袋体２３１の口部２３１ｄを閉じることができる。なお、両面テープ２３６に替えて、シール等により、防水袋体２３１の口部２３１ｄを閉じるようにしてもよい。これにより、表裏が反転した防水袋体２３１に包まれた尿吸収シーツ２０３からの尿の悪臭の漏洩を防止することができる。
【００７８】
なお、実施例２−４で示した防水袋体１３１、２３１および３３１は、実施例１で示した防水シート３１に置き換えて使用しているが、実施例１における防水シート３１に防水袋体１３１、２３１または３３１をさらに追加するようにして使用してもよい。
【産業上の利用可能性】
【００７９】
この発明は、ペット用トイレシーツの産業に利用することができる。
【符号の説明】
【００８０】
１…ペット用トイレシーツ
２…立体敷パッド
３…尿吸収シーツ
２１，２２…透水シート
２３…重曹
３１…防水シ−ト
３２…カバーシート
３３…吸収材
３５…脱臭シート
１３１，２３１，３３１…防水袋体
【図１】
2019216661.tif 000003
【図２】
2019216661.tif 000004
【図３】
2019216661.tif 000005
【図４】
2019216661.tif 000006
【図５】
2019216661.tif 000007
【図６】
2019216661.tif 000008
【図７】
2019216661.tif 000009
【図８】
2019216661.tif 000010
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
不透水性の防水シ−トと、
前記防水シートの一方面上であって当該防水シートの外周に沿う外縁部を除いた前記外縁部の内方の載置部に載置された尿を吸収する吸収材と、
前記吸収材を覆う脱臭シートと、
前記脱臭シートを覆う透水性のカバーシートと、
を有し、前記防水シートの前記外縁部が当該外縁部に対面する前記カバーシートに結合されている尿吸収シーツと、
前記尿吸収シーツの前記カバーシート上に敷かれた立体敷パッドと、
を備え、
前記立体敷パッドは、
積み重ねられた透水性の２つの透水シートと、
２つの前記透水シートの間に設けられた粉末状の重曹と、
を有し、一方の前記透水シートの外周に沿う外縁部が当該外縁部に対面する他方の前記透水シートに結合されているものであり、
前記透水シートは、表面に基盤目状の立体的な凹凸が形成され、
前記凹凸の段差は０．３〜１．３ｍｍであり前記基盤の目の間隔は１〜８ｍｍである
ペット用トイレシーツ。
【請求項２】
前記透水シートは、表面に立体的な凹凸が形成されている
請求項１記載のペット用トイレシーツ。
【請求項３】
前記重曹は、粒径が５０〜２００μｍの結晶性粉末であり、２つの前記透水シートの間の全面に設けられている
請求項１または２記載のペット用トイレシーツ。
【請求項４】
前記尿吸収シーツの前記防水シ−トは、開口可能な口を有する袋状で不透水性の防水袋体の一部で形成されている
請求項１から３の何れか１つに記載のペット用トイレシーツ。
【請求項５】
請求項１から４のいずれか１つに記載のペット用トイレシーツに用いられ、
前記尿吸収シーツの上に載置できる
立体敷パッド。
【手続補正２】
【補正対象書類名】明細書
【補正対象項目名】０００７
【補正方法】変更
【補正の内容】
【０００７】
この発明は、不透水性の防水シ−トと、前記防水シートの一方面上であって当該防水シートの外周に沿う外縁部を除いた前記外縁部の内方の載置部に載置された尿を吸収する吸収材と、前記吸収材を覆う脱臭シートと、前記脱臭シートを覆う透水性のカバーシートと、を有し、前記防水シートの前記外縁部が当該外縁部に対面する前記カバーシートに結合されている尿吸収シーツと、前記尿吸収シーツの前記カバーシート上に敷かれた立体敷パッドと、を備え、前記立体敷パッドは、積み重ねられた透水性の２つの透水シートと、２つの前記透水シートの間に設けられた粉末状の重曹と、を有し、一方の前記透水シートの外周に沿う外縁部が当該外縁部に対面する他方の前記透水シートに結合されているものであり、前記透水シートは、表面に基盤目状の立体的な凹凸が形成され、前記凹凸の段差は０．３〜１．３ｍｍであり前記基盤の目の間隔は１〜８ｍｍであることを特徴とする。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
不透水性の防水シ−トと、
前記防水シートの一方面上であって当該防水シートの外周に沿う外縁部を除いた前記外縁部の内方の載置部に載置された尿を吸収する吸収材と、
前記吸収材を覆う脱臭シートと、
前記脱臭シートを覆う透水性のカバーシートと、
を有し、前記防水シートの前記外縁部が当該外縁部に対面する前記カバーシートに結合されている尿吸収シーツと、
前記尿吸収シーツの前記カバーシート上に敷かれた立体敷パッドと、
を備え、
前記立体敷パッドは、
積み重ねられた透水性の２つの透水シートと、
２つの前記透水シートの間に設けられた粉末状の重曹と、
を有し、一方の前記透水シートの外周に沿う外縁部が当該外縁部に対面する他方の前記透水シートに結合されているものであり、
前記透水シートは、表面に基盤目状の立体的な凹凸が形成され、
前記凹凸の段差は０．３〜１．３ｍｍであり前記基盤の目の間隔は１〜８ｍｍである
ペット用トイレシーツ。
【請求項２】
前記透水シートは、表面に立体的な凹凸が形成されている
請求項１記載のペット用トイレシーツ。
【請求項３】
前記重曹は、粒径が５０〜２００μｍの結晶性粉末であり、２つの前記透水シートの間の全面に設けられている
請求項１または２記載のペット用トイレシーツ。
【請求項４】
前記尿吸収シーツの前記防水シ−トは、開口可能な口を有する袋状で不透水性の防水袋体の一部で形成されている
請求項１から３の何れか１つに記載のペット用トイレシーツ。
【請求項５】
ペット用トイレシーツに用いられ、
積み重ねられた透水性の２つの透水シートと、
２つの前記透水シートの間に設けられた粉末状の重曹と、
を有し、一方の前記透水シートの外周に沿う外縁部が当該外縁部に対面する他方の前記透水シートに結合されているものであり、
前記透水シートは、表面に基盤目状の立体的な凹凸が形成され、
前記凹凸の段差は０．３〜１．３ｍｍであり前記基盤の目の間隔は１〜８ｍｍである
立体敷パッド。